(57)【要約】【課題】鍵７により開閉可能とし紙幣処理機９の金庫等の出し入れを行う前扉１を備えた自動取引装置において、溶断による盗難の防止を確実にし、かつ重量や大きさ、さらにコストも増加しないようにする。【解決手段】鍵７により開閉可能とし紙幣処理機９の金庫等の出し入れを行う前扉１を備えた自動取引装置において、耐溶断シャフト６を前記前扉１の内側、装置筐体３の側面内側のいずれかまたは両方を覆うように配置するようにした。或いは、さらに前記耐溶断シャフト６を固定および取外し可能とする固定具８を備え、前記耐溶断シャフト６を必要に応じて配置できるようにした。【選択図】図１
2009276944.tif 000002
【特許請求の範囲】
【請求項１】
鍵により開閉可能な扉を備えた自動取引装置において、
燃焼障害成分が含有された耐溶断性のある部材を前記扉内側、装置筐体の側面内側のいずれかまたは両方を覆うように配置したことを特徴とする自動取引装置。
【請求項２】
前記耐溶断性のある部材は、略水平方向に平行に複数設けるようにしたことを特徴とする請求項１記載の自動取引装置。
【請求項３】
前記耐溶断性のある部材を固定および取り外しできる固定具を設けたことを特徴とする請求項１または請求項２記載の自動取引装置。 
【請求項４】
前記耐溶断性のある部材は、シャフト状または板状であることを特徴とする請求項１ないし請求項３いずれか記載の自動取引装置。
【発明の詳細な説明】
【技術分野】
【０００１】
本発明は、現金自動支払機、現金自動預払機等（以下、「自動取引装置」という）の防犯構造に関するものである。
【背景技術】
【０００２】
従来の自動取引装置においては、溶断破壊され内部に備えた紙幣処理機の金庫等の盗難を防止するための構造として次のような構造が採用されていた。
【０００３】
すなわち、板厚を厚くしたもの、素材を一般鋼板より融点の高いステンレスや熱伝導率の高いアルミや銅等の金属板を重ね合わせた構造としたもの、或いは金属板と金属板の間に砂やセラミックスなどの不燃材を詰めたもの、空間を設け二重構造としたものがあった。
【０００４】
また、扉の鍵の周辺を溶断すれば、扉の合わせ目やヒンジ部を溶断するより短い時間で扉のリンク機構を操作できるので、鍵の周辺が溶断される場合が特に多く、この鍵の周辺の溶断時間を長くするために、図１０に示したように、扉１の鍵７周辺に厚板１ｘを追加して強化する構造が採用されていた（例えば、特許文献１参照）。
【特許文献１】特開平９−３１９９２４号公報
【発明の開示】
【発明が解決しようとする課題】
【０００５】
しかしながら、上記従来の構造では、板厚を厚くする構造では、装置の重量や大きさ、さらに製造コストも大幅に増加してしまうという問題があり、金属以外の不燃材を用いた構造では、金属以外の不燃材のリサイクルが困難なため廃棄処理が困難となるなどの問題があった。
【課題を解決するための手段】
【０００６】
本発明は、前述の課題を解決するため次の構成を採用する。すなわち、鍵により開閉可能な扉を備えた自動取引装置において、燃焼障害成分が含有された耐溶断性のある部材を前記扉内側、装置筐体の側面内側のいずれかまたは両方を覆うように配置した。
【発明の効果】
【０００７】
本発明の自動取引装置によれば、鍵により開閉可能な扉を備えた自動取引装置において、燃焼障害成分が含有された耐溶断性のある部材を前記扉内側、装置筐体の側面内側のいずれかまたは両方を覆うように配置したので、前記扉や側面の溶断攻撃に確実に対抗でき、装置の重量や大きさ、さらに製造コストも増加することなく、また、リサイクルも容易とすることができる。
【発明を実施するための最良の形態】
【０００８】
以下、本発明に係わる実施の形態例を、図面を用いて説明する。図面に共通する要素には同一の符号を付す。
【実施例１】
【０００９】
（構成）
図１は実施例１の自動取引装置の外観斜視図であり、図２、図３および図４は、実施例１の自動取引装置の上面図、正面図および側面図である。図１に示したように実施例１の自動取引装置は、鍵７により開閉して紙幣処理機の金庫等の出し入れを行うための前扉１と、顧客が取引操作を行うための操作パネル２と、自動取引装置を覆う装置筐体３とを備える。
【００１０】
そして、前扉１は装置筐体３とヒンジ４にて連結されている。鍵７は、前扉１に固定されており、鍵７の先端はカンヌキ５に連結されており、鍵７を操作することにより、カンヌキ５が矢印Ａ方向に移動し、前扉１を閉める場合は図中左側にカンヌキ５が移動し装置筐体３にロックされ前扉１が施錠され、前扉１を開く場合は図中矢印Ａの右側方向にカンヌキ５が移動し装置筐体３へのロックが解除され、前扉１が開錠される。
【００１１】
そして、耐溶断シャフト６は、前扉１の内側に所定の間隔で数本設けられ、また両側面内側にも同様に所定の間隔で数本設けられている。
【００１２】
この耐溶断シャフト６の素材は、合成成分としてクロム（Ｃｒ）、ニッケル（Ｎｉ）、モリブデン（Ｍｏ）、カーボン（Ｃ）などを含む燃焼障害成分からなるステンレス鋼等からなり、容易に溶断できない素材で構成されている。
【００１３】
（動作）
以上の構成により、実施例１の自動取引装置は以下のように動作する。すなわち、図５の破線部のように、鍵７の周辺を円形溶断し、ロック機構を操作して前扉１を開け、紙幣処理機９の金庫等を盗み出そうとした場合、耐溶断シャフト６があるため、容易に溶断することができない。
【００１４】
また、図中一点鎖線で示したように、装置筐体３の側面を縦方向に溶断しようとした場合でも、耐溶断シャフト６があるため、容易に溶断することができない。
【００１５】
なお、以上の説明では、耐溶断シャフト６を平行に所定の間隔で配置する例を示したが、平行ではなく互いに交差するように配置してもよいし、スペースを取らないようにシャフト状ではなく板状としてもよい。
【００１６】
（実施例１の効果）
以上詳細に述べたように実施例１の自動取引装置によれば、耐溶断シャフトを前扉内側と装置筐体の側面内側に覆うように配置したので、前記扉や側面の溶断攻撃に確実に対抗でき、装置の重量や大きさ、さらに製造コストも増加することなく、また、リサイクルも容易とすることができる。
【実施例２】
【００１７】
（構成）
第６、図７および図８は、実施例２の自動取引装置の上面図、正面図および側面図である。同図に示したように、実施例２の自動取引装置は、実施例１の自動取引装置と同様、鍵７により開閉して紙幣処理機９の金庫等の出し入れを行うための前扉１と、顧客が取引操作を行うための操作パネル２と、自動取引装置を覆う装置筐体３とを備える。
【００１８】
そして、前扉１は、装置筐体３とヒンジ４にて連結されている。前扉１に固定された鍵７の先端はカンヌキ５に連結されており、鍵７を操作することにより、カンヌキ５が矢印Ａ方向に移動し、前扉１を閉める場合は図中左側にカンヌキ５が移動し装置筐体３にロックされ前扉１が施錠される。前扉１を開く場合は鍵７を操作して図中矢印Ａの右側方向にカンヌキ５を移動させ装置筐体３へのロックを解除して前扉１が開錠される。
【００１９】
耐溶断シャフト６は、前扉１の内側に所定の間隔で数本設けられ、また両側面内側にも同様に所定の間隔で数本設けられている。そして、それぞれの耐溶断シャフト６は図９に示したような固定具８とネジ８ａにより装置筐体３に取り付けられている。ここで、ネジ８ａは、外側から当該位置が分かると溶断攻撃されるため、外側からは見えないように取り付けられる構造とするのがよい。
【００２０】
なお、この耐溶断シャフト６の素材は、実施例１と同様、合成成分としてクロム（Ｃｒ）、ニッケル（Ｎｉ）、モリブデン（Ｍｏ）、カーボン（Ｃ）などを含む燃焼障害成分からなるステンレス鋼等の素材からなり、容易に溶断できない素材となっている。
【００２１】
（動作）
以上の構成により、実施例２の自動取引装置は以下のように動作する。すなわち、実施例１と同様、図５破線部のように、鍵７周辺を円形溶断し、前扉１を開けて紙幣処理機９の金庫等を盗み出そうとした場合でも、耐溶断シャフト６があるため、容易に溶断することができない。また、図中一点鎖線として示したように、側面を縦方向に溶断しようとした場合でも、耐溶断シャフト６があるため、容易に側面を溶断することもできない。
【００２２】
さらに、実施例２の自動取引装置では、耐溶断シャフト６を固定具８にて装置筐体３に取り付けられるようになっているので、防犯の必要性が低い場所に据え付けられる自動取引装置の場合では、耐溶断シャフト６の都部を取り外して少なくしたりして、さらなる軽量化、低価格化を図ることができる。また、特殊な耐溶断合金を使用したプロテクターが設けられた側だけ、耐溶断シャフト６の都部または全部を取外しておくなどとすることもできる。
【００２３】
さらに、容易に耐溶断シャフト６を交換することができるので、耐溶断シャフト６を再利用することも容易となる。
【００２４】
なお、実施例１と同様、耐溶断シャフト６を平行に所定の間隔で配置する例を示したが、平行ではなく互いに交差するように配置してもよいし、スペースを取らないようにシャフト状ではなく板状としてもよい。
【００２５】
（実施例２の効果）
以上のように、実施例２の自動取引装置によれば、前扉内側と装置筐体の側面内側に、耐溶断シャフトを固定具で固定できる構造としたので、実施例１の効果に加え、不必要に耐溶断シャフトを配置することなく、また、扉や筐体を交換する場合などにおいても、耐溶断シャフトを取外して別の装置に再利用することもできる。
【００２６】
《その他の変形例》
以上の説明では、前扉および側面に耐溶断シャフトを設けるように説明したが、前扉または側面のいずれかのみに設けるようにしてもよいし、逆に、後面側にも設けるようにしてもよい。
【産業上の利用可能性】
【００２７】
以上述べたように、本発明は、溶断による盗難を防止する必要がある現金自動支払機、現金自動預払機などの自動取引装置に広く用いることができる。
【図面の簡単な説明】
【００２８】
【図１】実施例１の自動取引装置の外観斜視図である。
【図２】実施例１の自動取引装置の上面図である。
【図３】実施例１の自動取引装置の正面図である。
【図４】実施例１の自動取引装置の側面図である。
【図５】実施例１の自動取引装置の溶断攻撃に対する動作の説明図である。
【図６】実施例２の自動取引装置の上面図である。
【図７】実施例２の自動取引装置の正面図である。
【図８】実施例２の自動取引装置の側面図である。
【図９】実施例２の固定具の構成例である。
【図１０】従来の自動取引装置の防犯のための構造である。
【符号の説明】
【００２９】
１    前扉
２    操作パネル
３    装置筐体
４    ヒンジ
５    カンヌキ
６    耐溶断シャフト
７    鍵
８    固定具
８ａ  ネジ
９    紙幣処理機
【図１】
2009276944.tif 000003
【図２】
2009276944.tif 000004
【図３】
2009276944.tif 000005
【図４】
2009276944.tif 000006
【図５】
2009276944.tif 000007
【図６】
2009276944.tif 000008
【図７】
2009276944.tif 000009
【図８】
2009276944.tif 000010
【図９】
2009276944.tif 000011
【図１０】
2009276944.tif 000012